(57)【要約】【課題】効率的な電源制御を行う無線基地局及び電源制御方法を提供する。【解決手段】無線基地局ｅＮＢ１０−１は、無線端末ＵＥ３０−１に対して下り方向のリソースブロックを割り当てる際に、未割り当てととしたＰＤＳＣＨが存在する場合、当該未割り当てのＰＤＳＣＨに対応する時間帯（ＰＤＳＣＨ未割り当て時間帯）を特定し、ＰＤＳＣＨ未割り当て時間帯においてパワーアンプ１１２の電源をオフにする制御を行う。【選択図】図３
2012005000.tif 000002
【特許請求の範囲】
【請求項１】
異なる時間帯に対応する複数の無線リソースが構成される無線通信システムにおいて、無線端末に対して前記無線リソースを割り当てる無線基地局であって、
割り当てられた前記無線リソースを用いて前記無線端末へ無線信号を送信する送信部と、
前記送信部の電源を制御する制御部と
を備え、
前記制御部は、未割り当ての前記無線リソースに対応する時間帯において、前記送信部の電源をオフにする無線基地局。
【請求項２】
前記無線リソースは、時間方向において制御データ用の制御領域とユーザデータ用のデータ領域とにより構成され、
前記制御部は、前記無線リソースにおける未割り当ての前記データ領域に対応する時間帯において、前記送信部の電源をオフにする請求項１に記載の無線基地局。
【請求項３】
前記データ領域に対応する時間帯の一部が、前記ユーザデータに対して未割り当てである請求項２に記載の無線基地局。
【請求項４】
前記ユーザデータに対して割り当てられた領域に対応する時間帯は、前記制御領域の時間帯に隣接する時間帯である請求項３に記載の無線基地局。
【請求項５】
前記データ領域に対応する時間帯の一部が、無線通信に必要となる制御情報に対して割り当てられる場合、前記ユーザデータに対して割り当てられた領域に対応する時間帯は、前記制御情報に対して割り当てられた領域に対応する時間帯を含んだ前記データ領域に対応する時間帯である請求項３に記載の無線基地局。
【請求項６】
異なる周波数帯に対応する複数の無線リソースが構成される無線通信システムにおいて、無線端末に対して前記無線リソースを割り当てる無線基地局であって、
異なる周波数帯毎に設けられ、対応する前記周波数帯の無線信号を、割り当てられた前記無線リソースを用いて前記無線端末へ送信する送信部と、
前記送信部の電源を制御する制御部と
を備え、
前記制御部は、未割り当ての前記無線リソースに対応する周波数帯の無線信号を送信する前記送信部の電源をオフにする無線基地局。
【請求項７】
前記送信部は、送信電力を増幅する信号増幅部を備え、
前記制御部は、前記信号増幅部の電源をオフにする請求項１乃至６の何れかに記載の無線基地局。
【請求項８】
異なる時間帯に対応する複数の無線リソースが構成される無線通信システムにおいて、無線端末に対して前記無線リソースを割り当てる無線基地局における電源制御方法であって、
送信部の電源を制御するステップを備え、
前記送信部は、割り当てられた前記無線リソースを用いて前記無線端末へ無線信号を送信するものであり、
前記制御するステップは、未割り当ての前記無線リソースに対応する時間帯において、前記送信部の電源をオフにする電源制御方法。
【請求項９】
異なる周波数帯に対応する複数の無線リソースが構成される無線通信システムにおいて、無線端末に対して前記無線リソースを割り当てる無線基地局における電源制御方法であって、
送信部の電源を制御するステップを備え、
前記送信部は、異なる周波数帯毎に設けられ、対応する前記周波数帯の無線信号を、割り当てられた前記無線リソースを用いて前記無線端末へ送信するものであり、
前記制御するステップは、未割り当ての前記無線リソースに対応する周波数帯の無線信号を送信する前記送信部の電源をオフにする電源制御方法。
【発明の詳細な説明】
【技術分野】
【０００１】
本発明は、無線通信技術に関し、特にＳＯＮを適用した無線基地局、及び電源制御方法に関する。
【背景技術】
【０００２】
無線通信システムの標準化団体である３ＧＰＰ（3rd Generation Partnership Project）で標準化されているＬＴＥ（Long Term Evolution）では、ＳＯＮ（Self Organizing Network）と称される技術が採用されている。ＳＯＮによれば、無線基地局の設置や保守の際に、人手によるフィールドでの測定や設定を要さずに自動化できることが期待される（例えば、非特許文献１参照）。
【０００３】
ＳＯＮにおいては、無線基地局（３ＧＰＰにおいて「ｅＮＢ」と称される）の電源のオンオフを制御することにより、消費電力を抑制する手法が提案されている。このような手法は、エナジーセービング（Energy Savings）と称される。エナジーセービングにおいて、無線基地局ｅＮＢは、自局の電源がオンになる場合には、その旨を他の無線基地局ｅＮＢに通知する。また、無線基地局ｅＮＢは、他の無線基地局ｅＮＢの電源をオンにさせる場合には、その旨を当該他の無線基地局ｅＮＢに通知する。
【先行技術文献】
【非特許文献】
【０００４】
【非特許文献１】3GPP TR 36.902 V9.1.0 March, 2010.
【発明の概要】
【発明が解決しようとする課題】
【０００５】
しかしながら、上述したエナジーセービングの手法では、無線基地局ｅＮＢが動作中の場合においても、できるだけ消費電力を抑制し、効率化を図りたいとの要求に応じることができない。
【０００６】
そこで、本発明は、効率的な電源制御を行う無線基地局及び電源制御方法を提供することを目的とする。
【課題を解決するための手段】
【０００７】
上述した課題を解決するために、本発明は以下のような特徴を有している。本発明の特徴は、異なる時間帯に対応する複数の無線リソースが構成される無線通信システム（無線通信システム１）において、無線端末（無線端末ＵＥ３０−１）に対して前記無線リソースを割り当てる無線基地局（無線基地局ｅＮＢ１０−１）であって、割り当てられた前記無線リソースを用いて前記無線端末へ無線信号を送信する送信部（無線通信部１１０）と、前記送信部の電源を制御する制御部（電源制御部１２３）とを備え、前記制御部は、未割り当ての前記無線リソースに対応する時間帯において、前記送信部の電源をオフにすることを要旨とする。
【０００８】
このような特徴によれば、制御部は、未割り当ての無線リソースに対応する時間帯、換言すれば、無線基地局と無線端末との間で無線通信が行われない時間帯においては、送信部の電源をオフにすることができ、効率的な電源制御が可能となる。
【０００９】
本発明の特徴は、前記無線リソースは、時間方向において制御データ用の制御領域（ＰＤＣＣＨ）とユーザデータ用のデータ領域（ＰＤＳＣＨ）とにより構成され、前記制御部は、前記無線リソースにおける未割り当ての前記データ領域に対応する時間帯において、前記送信部の電源をオフにすることを要旨とする。
【００１０】
本発明の特徴は、前記データ領域に対応する時間帯の一部が、前記ユーザデータに対して未割り当てであることを要旨とする。
【００１１】
本発明の特徴は、前記ユーザデータに対して割り当てられた領域に対応する時間帯は、前記制御領域の時間帯に隣接する時間帯であることを要旨とする。
【００１２】
本発明の特徴は、前記データ領域に対応する時間帯の一部が、無線通信に必要となる制御情報に対して割り当てられる場合、前記ユーザデータに対して割り当てられた領域に対応する時間帯は、前記制御情報に対して割り当てられた領域に対応する時間帯を含んだ前記データ領域に対応する時間帯であることを要旨とする。
【００１３】
本発明の特徴は、異なる周波数帯に対応する複数の無線リソースが構成される無線通信システム（無線通信システム１）において、無線端末に対して前記無線リソースを割り当てる無線基地局（無線基地局ｅＮＢ１０−１）であって、異なる周波数帯毎に設けられ、対応する前記周波数帯の無線信号を、割り当てられた前記無線リソースを用いて前記無線端末へ送信する送信部（無線通信部１１０−１、無線通信部１１０−２）と、前記送信部の電源を制御する制御部（電源制御部１２８）とを備え、前記制御部は、未割り当ての前記無線リソースに対応する周波数帯の無線信号を送信する前記送信部の電源をオフにすることを要旨とする。
【００１４】
このような特徴によれば、制御部は、未割り当ての無線リソースに対応する周波数帯、換言すれば、無線基地局と無線端末との間で無線通信が行われない周波数帯に対応する送信部の電源をオフにすることができ、効率的な電源制御が可能となる。
【００１５】
本発明の特徴は、前記送信部は、送信電力を増幅する信号増幅部（パワーアンプ１１２）を備え、前記制御部は、前記信号増幅部の電源をオフにすることを要旨とする。
【００１６】
本発明の特徴は、前記送信部は、送信電力を増幅する信号増幅部を備え、前記制御部は、前記信号増幅部の電源をオフにすることを要旨とする。
【００１７】
本発明の特徴は、異なる時間帯に対応する複数の無線リソースが構成される無線通信システムにおいて、無線端末に対して前記無線リソースを割り当てる無線基地局における電源制御方法であって、送信部の電源を制御するステップを備え、前記送信部は、割り当てられた前記無線リソースを用いて前記無線端末へ無線信号を送信するものであり、前記制御するステップは、未割り当ての前記無線リソースに対応する時間帯において、前記送信部の電源をオフにすることを要旨とする。
【００１８】
本発明の特徴は、異なる周波数帯に対応する複数の無線リソースが構成される無線通信システムにおいて、無線端末に対して前記無線リソースを割り当てる無線基地局における電源制御方法であって、送信部の電源を制御するステップを備え、前記送信部は、異なる周波数帯毎に設けられ、対応する前記周波数帯の無線信号を、割り当てられた前記無線リソースを用いて前記無線端末へ送信するものであり、前記制御するステップは、未割り当ての前記無線リソースに対応する周波数帯の無線信号を送信する前記送信部の電源をオフにすることを要旨とする。
【発明の効果】
【００１９】
本発明によれば、効率的な電源制御を行う無線基地局及び電源制御方法を提供できる。
【図面の簡単な説明】
【００２０】
【図１】ＬＴＥシステムの概要を説明するための図である。
【図２】本発明の実施形態に係る無線通信システムの概略構成図である。
【図３】本発明の実施形態に係る下りの無線リソースの一例を示す図である。
【図４】本発明の実施形態に係る無線基地局の構成を示すブロック図である。
【図５】本発明の実施形態に係る無線通信システムの動作を示すフローチャートである。
【図６】本発明の実施形態に係る無線基地局の他の構成を示すブロック図である。
【発明を実施するための形態】
【００２１】
次に、図面を参照して、本発明の実施形態を説明する。具体的には、（１）ＬＴＥシステムの概要、（２）無線通信システムの構成、（３）無線基地局の構成、（４）無線基地局の動作、（５）作用・効果、（６）その他の実施形態について説明する。以下の実施形態における図面の記載において、同一又は類似の部分には同一又は類似の符号を付している。
【００２２】
（１）ＬＴＥシステムの概要
図１は、ＬＴＥシステムの概要を説明するための図である。図１に示すように、複数の無線基地局ｅＮＢはＥ−ＵＴＲＡＮ（Evolved-UMTS Terrestrial Radio Access Network）を構成する。複数の無線基地局ｅＮＢのそれぞれは、無線端末ＵＥにサービスを提供すべき通信エリアであるセルを形成する。
【００２３】
無線端末ＵＥは、ユーザが所持する無線通信装置であり、ユーザ装置とも称される。無線端末ＵＥは、無線基地局ｅＮＢから受信する無線信号の品質（すなわち、無線品質）を測定し、無線品質の測定結果の報告（以下、測定結果報告）を接続先の無線基地局ｅＮＢに送信する。
【００２４】
このような無線品質としては、参照信号の受信電力（ＲＳＲＰ）や、信号対干渉雑音比（ＳＩＮＲ）等がある。ＲＳＲＰに係る測定結果報告はメジャメントレポートと称され、ＳＩＮＲのインデックスに係る測定結果報告はＣＱＩ（Channel Quality Indicator）と称される。
【００２５】
また、無線端末ＵＥの接続先の無線基地局ｅＮＢは、無線端末ＵＥから受信するＣＱＩに基づいて、無線リソースの割り当て単位であるリソースブロックを無線端末ＵＥに割り当てる。
【００２６】
各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。
【００２７】
（２）無線通信システムの構成
図２は、本実施形態に係る無線通信システム１の概略構成図である。
【００２８】
図２に示すように、無線通信システム１は、セルＣ２０−１を形成する無線基地局ｅＮＢ１０−１と、セルＣ２０−２を形成する無線基地局ｅＮＢ１０−２と、セルＣ２０−１内の無線端末ＵＥ３０−１と、セルＣ２０−２内の無線端末ＵＥ３０−２とを有する。無線基地局ｅＮＢ１０−１及び無線基地局ｅＮＢ１０−２は、上述したＸ２インタフェースを使用して基地局間通信を行うことができる。また、無線基地局ｅＮＢ１０−１は、セルＣ２０−１内の無線端末ＵＥ３０−１と無線通信を行い、無線基地局ｅＮＢ１０−２は、セルＣ２０−２内の無線端末ＵＥ３０−２と無線通信を行う。
【００２９】
なお、図２では、無線端末ＵＥ３０−１及び無線端末ＵＥ３０−２のそれぞれを１つのみ図示しているが、実際には、無線端末ＵＥ３０−１及び無線端末ＵＥ３０−２のそれぞれは複数であるものとする。
【００３０】
（３）無線基地局の構成
次に、無線基地局ｅＮＢ１０−１の構成を説明する。図３は、本実施形態に係る無線基地局ｅＮＢ１０−１の構成を示すブロック図である。なお、無線基地局ｅＮＢ１０−２も、同様の構成を有する。
【００３１】
図３に示すように、無線基地局ｅＮＢ１０−１は、アンテナ１０１、無線通信部１１０、制御部１２０、記憶部１３０、及びＸ２インタフェース通信部１４０を有する。
【００３２】
アンテナ１０１は、無線端末ＵＥ３０−１との間の無線信号の送受信に用いられる。
【００３３】
無線通信部１１０は、例えば無線周波数（ＲＦ）回路やベースバンド（ＢＢ）回路等を用いて構成され、アンテナ１０１を介して無線端末ＵＥ３０−１と無線信号の送受信を行う。また、無線通信部１１０は、送信信号の変調と受信信号の復調とを行う。無線通信部１１０は、パワーアンプ１１２を有する。パワーアンプ１１２は、送信信号を増幅した上でアンテナ１０１へ出力する。
【００３４】
制御部１２０は、例えばＣＰＵを用いて構成され、無線基地局ｅＮＢ１０−１が備える各種の機能を制御する。記憶部１３０は、例えばメモリを用いて構成され、無線基地局ｅＮＢ１０−１の制御等に用いられる各種の情報を記憶する。Ｘ２インタフェース通信部１４０は、Ｘ２インタフェースを使用して無線基地局ｅＮＢ１０−２との基地局間通信を行う。
【００３５】
制御部１２０は、無線リソース割当部１２１、未割り当て時間帯特定部１２２及び電源制御部１２３を有する。
【００３６】
無線リソース割当部１２１は、セルＣ２０−１内の無線端末ＵＥ３０−１から受信するＣＱＩに基づいて、当該無線端末ＵＥ３０−１に対して、無線リソースとしてのリソースブロックを割り当てる。
【００３７】
図４は、無線端末ＵＥ３０−１に対して割り当て可能な下り方向（無線基地局ｅＮＢ１０−１から無線端末ＵＥ３０−１への方向）の無線リソースであるリソースブロックを示す図である。リソースブロックは、時間方向に連続して配置されており、時間方向に連続する複数のリソースブロックによって、１つの無線フレームが構成される。
【００３８】
１つのリソースブロックは、２つのサブフレーム分の時間長を有する。リソースブロックは、時間方向に、下り方向の制御情報伝送用の制御情報チャネル（ＰＤＣＣＨ：Physical Downlink Control CHannel）と、下り方向のユーザデータ伝送用の共有データチャネル（ＰＤＳＣＨ：Physical Downlink Shared CHannel）とにより構成される。
【００３９】
無線リソース割当部１２１が、リソースブロックを無線端末ＵＥ３０−１に割り当てる場合、リソースブロック内のＰＤＣＣＨとＰＤＳＣＨのうち、ＰＤＣＣＨは必ず無線端末ＵＥ３０−１に割り当てられるのに対して、ＰＤＳＣＨの割り当ては任意である。従って、１つのリソースブロックについて着目した場合、ＰＤＣＣＨは割り当てられているが、ＰＤＳＣＨは割り当てられていないことがある。すなわち、各リソースブロックのＰＤＳＣＨの時間帯は、未割り当ての時間帯となり得ることになる。
【００４０】
未割り当て時間帯特定部１２２は、無線リソース割当部１２１による、無線端末ＵＥ３０−１に対するＰＤＳＣＨの割り当ての状況を監視し、割り当てられなかったＰＤＳＣＨの領域に対応する時間帯（以下、ＰＤＳＣＨ未割り当て時間帯）を特定する。ＰＤＳＣＨ未割り当て時間帯は、１つの無線フレームの先頭のタイミングを基準とした未割り当てのＰＤＳＣＨの先頭のタイミングの時間位置の情報と、当該未割り当てのＰＤＳＣＨの時間長により一意に特定される。
【００４１】
電源制御部１２３は、無線通信部１１０内のパワーアンプ１１２の電源を制御する。
【００４２】
具体的には、電源制御部１２３は、無線基地局ｅＮＢ１０−１と、リソースブロックが割り当てられた無線端末ＵＥ３０−１との間で、リソースブロックを用いた無線通信が行われている場合に、１つの無線フレームの先頭のタイミングからの経過時間を監視する。
【００４３】
電源制御部１２３は、１つの無線フレームの先頭のタイミングからの経過時間が、未割り当てのＰＤＳＣＨの先頭のタイミングの時間位置と一致した場合に、ＰＤＳＣＨ未割り当て時間帯が到来したと判定する。この場合、電源制御部１２３は、パワーアンプ１１２の電源をオフにする制御を行う。この制御により、パワーアンプ１１２は、作動しなくなる。
【００４４】
更に、電源制御部１２３は、ＰＤＳＣＨ未割り当て時間帯が到来してから、未割り当てのＰＤＳＣＨの時間長で示される時間が経過した場合に、ＰＤＳＣＨ未割り当て時間帯が経過したと判定する。この場合、電源制御部１２３は、パワーアンプ１１２の電源をオンにする制御を行う。この制御により、パワーアンプ１１２は、送信信号の増幅を再開する。
【００４５】
（４）無線基地局の動作
図５は、本実施形態に係る無線基地局ｅＮＢ１０−１の動作を示すフローチャートである。なお、当初、パワーアンプ１１２の電源はオンであるものとする。
【００４６】
ステップＳ１０１において、制御部１２０内の無線リソース割当部１２１は、セルＣ２０−１内の無線端末ＵＥ３０−１に対して、無線リソースとしての下り方向のリソースブロックを割り当てる。
【００４７】
ステップＳ１０２において、制御部１２０内の未割り当て時間帯特定部１２２は、割り当てられなかったＰＤＳＣＨの領域に対応する時間帯（ＰＤＳＣＨ未割り当て時間帯）を特定する。
【００４８】
ステップＳ１０３において、制御部１２０内の電源制御部１２３は、無線基地局ｅＮＢ１０−１と、リソースブロックが割り当てられた無線端末ＵＥ３０−１との間で、リソースブロックを用いた無線通信が行われている場合に、ＰＤＳＣＨ未割り当て時間帯が到来したか否かを判定する。
【００４９】
ＰＤＳＣＨ未割り当て時間帯が到来した場合、ステップＳ１０４において、制御部１２０内の電源制御部１２３は、パワーアンプ１１２の電源をオフにする制御を行う。
【００５０】
ステップＳ１０５において、制御部１２０内の電源制御部１２３は、ＰＤＳＣＨ未割り当て時間帯が経過したか否かを判定する。
【００５１】
ＰＤＳＣＨ未割り当て時間帯が経過した場合、ステップＳ１０６において、制御部１２０内の電源制御部１２３は、パワーアンプ１１２の電源を再びオンにする制御を行う。その後は、再び、ステップＳ１０３におけるＰＤＳＣＨ未割り当て時間帯が到来したか否かの判定以降の動作が繰り返される。
【００５２】
（５）作用・効果
以上説明したように、本実施形態によれば、無線基地局ｅＮＢ１０−１は、無線端末ＵＥ３０−１に対して下り方向のリソースブロックを割り当てた際に、未割り当てのＰＤＳＣＨが存在する場合、当該未割り当てのＰＤＳＣＨの領域に対応する時間帯（ＰＤＳＣＨ未割り当て時間帯）を特定し、ＰＤＳＣＨ未割り当て時間帯においてパワーアンプ１１２の電源をオフにする制御を行う。
【００５３】
従って、未割り当てのＰＤＳＣＨの領域に対応する時間帯、換言すれば、無線基地局ｅＮＢ１０−１と無線端末ＵＥ３０−１との間で無線通信が行われない時間帯においては、パワーアンプ１１２の電源がオフになるため、無線通信を阻害することなく、効率的な無線基地局ｅＮＢ１０−１の電源制御が可能となる。また、パワーアンプ１１２は消費電力が大きいため、当該パワーアンプ１１２の電源がオフにされることで、無線基地局ｅＮＢ１０−１の消費電力を効果的に抑制できる。
【００５４】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５５】
（その他の実施形態１）
上述した実施形態では、１つのリソースブロック内のＰＤＳＣＨの全体の領域の時間帯が未割り当てとなる場合について説明した。しかし、ＰＤＳＣＨの領域に対応する時間帯の一部がユーザデータに対して割り当てられる場合には、以下のようにしてパワーアンプ１１２の電源制御が行われる。
【００５６】
無線リソース割当部１２１は、セルＣ２０−１内の無線端末ＵＥ３０−１から受信するＣＱＩに基づいて、当該無線端末ＵＥ３０−１に対して、無線リソースとしてのリソースブロックのＰＤＣＣＨと、ＰＤＳＣＨの一部とを割り当てる。
【００５７】
未割り当て時間帯特定部１２２は、無線リソース割当部１２１による、無線端末ＵＥ３０−１に対するＰＤＳＣＨの割り当ての状況を監視し、ＰＤＳＣＨ内の未割り当ての領域に対応する時間帯（以下、未割り当て領域時間帯）を特定する。未割り当て領域時間帯は、１つの無線フレームの先頭のタイミングを基準としたＰＤＳＣＨ内の未割り当て領域の先頭のタイミングの時間位置の情報と、当該未割り当ての領域の時間長により一意に特定される。
【００５８】
電源制御部１２３は、無線基地局ｅＮＢ１０−１と、リソースブロックが割り当てられた無線端末ＵＥ３０−１との間で、リソースブロックを用いた無線通信が行われている場合に、１つの無線フレームの先頭のタイミングからの経過時間を監視する。
【００５９】
電源制御部１２３は、１つの無線フレームの先頭のタイミングからの経過時間が、ＰＤＳＣＨ内の未割り当て領域の先頭のタイミングの時間位置と一致した場合に、未割り当て領域時間帯が到来したと判定する。この場合、電源制御部１２３は、パワーアンプ１１２の電源をオフにする制御を行う。この制御により、パワーアンプ１１２は、作動しなくなる。
【００６０】
更に、電源制御部１２３は、未割り当て領域時間帯が到来してから、未割り当て領域の時間長で示される時間が経過した場合に、未割り当て領域時間帯が経過したと判定する。この場合、電源制御部１２３は、パワーアンプ１１２の電源をオンにする制御を行う。この制御により、パワーアンプ１１２は、送信信号の増幅を再開する。
【００６１】
なお、無線リソース割当部１２１は、ＰＤＳＣＨの一部をユーザデータ用として無線端末ＵＥ３０−１に割り当てる際に、paging情報等の所定の情報に対応するＰＤＣＣＨの領域に対応する時間帯に隣接する時間帯を、ユーザデータ用の領域として割り当ててもよい。この場合には、１つのリソースブロックにおいて、未割り当ての領域に対応する時間帯が時間方向に分散せず、ＰＤＣＣＨの全体の領域に対応する時間帯とＰＤＳＣＨの割り当て済みの領域に対応する時間帯とが時間方向に連続し、その後にＰＤＳＣＨ内の未割り当ての領域に対応する時間帯が続くことになる。従って、電源制御部１２３は、１つのリソースブロックに対応する時間帯においては、ＰＤＳＣＨ内の割り当て済みの領域に対応する時間帯と、ＰＤＳＣＨ内の未割り当ての領域に対応する時間帯との境界のタイミングにおいて、一度だけパワーアンプ１１２の電源をオンからオフにする制御を行うだけでよく、電源制御に伴う処理の負荷が軽減される。
【００６２】
（その他の実施形態２）
ＰＤＳＣＨの領域に対応する時間帯の一部が、無線通信に必要となる制御情報に対して割り当てられる場合がある。ここで、無線通信に必要となる制御情報とは、参照信号（Reference Singal）、報知チャネル（ＰＢＣＨ：Physical Broadcast CHannel）、プライマリ同期信号（Ｐ−ＳＳ：Primary Synchronization Signal）、セカンダリ同期信号（Ｓ−ＳＳ：Secondary Synchronization Signal）である。このような場合には、以下に示す処理が行われる。
【００６３】
すなわち、無線リソース割当部１２１は、制御情報が割り当てられたＰＤＳＣＨの領域に対応する時間帯を、ユーザデータ用の領域に対応する時間帯として割り当てる。これにより、制御情報が割り当てられたＰＤＳＣＨと、ユーザデータが割り当てられたＰＤＳＣＨとが一致する。従って、電源制御部１２３によるパワーアンプ１１２に対する電源の制御の回数が抑制され、電源制御に伴う処理の負荷が軽減される。
【００６４】
（その他の実施形態３）
上述した実施形態では、無線基地局ｅＮＢ１０−１は、未割り当てのＰＤＳＣＨに対応する時間帯においてパワーアンプ１１２の電源をオフにする制御を行った。しかし、無線基地局ｅＮＢ１０−１は、周波数帯毎に無線通信部が設けられている場合には、未割り当ての無線リソースの領域に対応する周波数帯を特定し、当該未割り当ての無線リソースの領域に対応する周波数帯の無線信号を処理する無線通信部の電源をオフにする制御を行ってもよい。
【００６５】
図６は、本実施形態に係る無線基地局ｅＮＢ１０−１の他の構成を示すブロック図である。図６に示すように、無線基地局ｅＮＢ１０−１は、アンテナ１０１−１、アンテナ１０１−２、無線通信部１１０−１、無線通信部１１０−２、制御部１２０、記憶部１３０、及びＸ２インタフェース通信部１４０を有する。
【００６６】
アンテナ１０１−１及びアンテナ１０１−２は、無線端末ＵＥ３０−１との間の無線信号の送受信に用いられる。
【００６７】
無線通信部１１０−１と無線通信部１１０−２とは、異なる周波数帯の無線信号を送受信する処理を行う。例えば、無線通信部１１０−１は、２ＧＨｚ帯の無線信号を送受信する処理を行い、無線通信部１１０−２は、８００ＭＨｚ帯の無線信号を送受信する処理を行う。
【００６８】
無線通信部１１０−１は、例えば無線周波数（ＲＦ）回路やベースバンド（ＢＢ）回路等を用いて構成され、アンテナ１０１−１を介して無線端末ＵＥ３０−１と無線信号の送受信を行う。また、無線通信部１１０−１は、送信信号の変調と受信信号の復調とを行う。無線通信部１１０−１は、パワーアンプ１１２−１を有する。パワーアンプ１１２−１は、送信信号を増幅した上でアンテナ１０１−１へ出力する。無線通信部１１０−２も、無線通信部１１０−１と同様である。すなわち、無線通信部１１０−２は、アンテナ１０１−２を介して無線端末ＵＥ３０−１と無線信号の送受信を行うとともに、送信信号の変調と受信信号の復調とを行う。無線通信部１１０−２は、パワーアンプ１１２−２を有する。パワーアンプ１１２−２は、送信信号を増幅した上でアンテナ１０１−２へ出力する。
【００６９】
制御部１２０は、例えばＣＰＵを用いて構成され、無線基地局ｅＮＢ１０−１が備える各種の機能を制御する。制御部１２０は、無線リソース割当部１２６、未割り当て周波数帯特定部１２７及び電源制御部１２８を有する。
【００７０】
無線リソース割当部１２６は、無線端末ＵＥ３０−１に対して、無線リソースを割り当てる。
【００７１】
未割り当て周波数帯特定部１２７は、無線リソース割当部１２６による、無線端末ＵＥ３０−１に対する無線リソースの割り当ての状況を監視し、割り当てられなかった無線リソースに対応する周波数帯（以下、未割り当て周波数帯）を特定する。
【００７２】
電源制御部１２８は、無線通信部１１０−１内のパワーアンプ１１２−１の電源と、無線通信部１１０−２内のパワーアンプ１１２−２の電源とを制御する。
【００７３】
具体的には、電源制御部１２８は、無線通信部１１０−１が送受信可能である周波数帯と、未割り当て周波数帯特定部１２７により特定された未割り当て周波数帯とを比較し、無線通信部１１０−１が送受信可能である周波数帯の全体が未割り当て周波数帯であるか否かを判定する。同様に、電源制御部１２８は、無線通信部１１０−２が送受信可能である周波数帯と、未割り当て周波数帯特定部１２７により特定された未割り当て周波数帯とを比較し、無線通信部１１０−２が送受信可能である周波数帯の全体が未割り当て周波数帯であるか否かを判定する。
【００７４】
無線通信部１１０−１が送受信可能である周波数帯の全体が未割り当て周波数帯である場合、電源制御部１２８は、無線通信部１１０−１内のパワーアンプ１１２−１の電源をオフにする制御を行う。また、無線通信部１１０−２が送受信可能である周波数帯の全体が未割り当て周波数帯である場合、電源制御部１２８は、無線通信部１１０−２内のパワーアンプ１１２−２の電源をオフにする制御を行う。
【００７５】
これにより、未割り当ての無線リソースに対応する周波数帯の無線信号を送受信する無線通信部内のパワーアンプの電源がオフになるため、無線通信を阻害することなく、効率的な無線基地局ｅＮＢ１０−１の電源制御が可能となる。
【００７６】
なお、１つのＰＤＳＣＨにおいて、一部の周波数帯の領域が未割り当てになる場合であって、制御部１２０を構成するＣＰＵ等の処理部が、異なる周波数帯毎に設けられ、各処理部が対応する周波数帯の無線信号の情報を処理する場合には、以下のようにして処理部の電源を制御することができる。すなわち、電源制御部１２８は、処理部に対応する周波数帯の全体が、ＰＤＳＣＨにおいて未割り当てとなる一部の周波数帯である場合、当該処理部の電源をオフにする制御を行う。
【００７７】
（その他の実施形態４）
上述した実施形態では、ＬＴＥシステムについて説明したが、ＷｉＭＡＸ（ＩＥＥＥ ８０２．１６）に基づく無線通信システム等、他の無線通信システムに対して本発明を適用してもよい。
【００７８】
例えば、ＷｉＭＡＸに基づく通信システムにおいては、データ領域に対応する時間帯の一部のみを無線端末に割り当てることが可能である。従って、ＷｉＭＡＸに基づく通信システムにおいては、未割り当て時間帯特定部１２２は、データ領域内の未割り当ての領域に対応する時間帯（未割り当て領域時間帯）を特定する。更に、電源制御部１２３は、１つの無線フレームの先頭のタイミングからの経過時間が、データ領域内の未割り当て領域の時間帯の先頭のタイミングの時間位置と一致した場合に、未割り当て領域時間帯が到来したと判定し、パワーアンプ１１２の電源をオフにする制御を行う。
【００７９】
更に、電源制御部１２３は、未割り当て領域時間帯が到来してから、未割り当て領域の時間長で示される時間が経過した場合に、未割り当て領域時間帯が経過したと判定し、パワーアンプ１１２の電源をオンにする制御を行う。
【００８０】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８１】
ＵＥ３０−１、ＵＥ３０−２…無線端末、ｅＮＢ１０−１、ｅＮＢ１０−２、…無線基地局、１…無線通信システム、１０１、１０１−１、１０１−２…アンテナ、１１０、１１０−１、１１０−２…無線通信部、１１２、１１２−１、１１２−２…パワーアンプ、１２０…制御部、１２１、１２６…無線リソース割当部、１２２…未割り当て時間帯特定部、１２３、１２８…電源制御部、１２４…電源制御部、１２７…未割り当て周波数帯特定部、１３０…記憶部、１４０…Ｘ２インタフェース通信部
【図１】
2012005000.tif 000003
【図２】
2012005000.tif 000004
【図３】
2012005000.tif 000005
【図４】
2012005000.tif 000006
【図５】
2012005000.tif 000007
【図６】
2012005000.tif 000008